【事件の表示】
　特許第２７６４７３０号「電子楽器」の請求項１ないし５、９に係る特許に対する特許異議の申立てについて、次のとおり決定する。
【結論】
　訂正を認める。
　特許第２７６４７３０号の請求項１、５に係る特許を維持する。
【理由】
１：手続きの経緯
　本件特許第２７６４７３０号の発明は、昭和６３年１２月２９日に出願された特願昭６３−３３４１６５号で、平成１０年４月３日に設定登録され、その後、特許異議の申し立てがあり、当審において取消理由通知をしたところ、その指定期間内である平成１１年５月３１日に訂正請求がなされたものである。
２：訂正の適否
（１）：訂正の内容
　本件発明は、訂正請求書の特許請求の範囲の請求項１・２（請求項３〜９は削除された）に記載された次の事項により特定されるとおりのものである。
「（１）電子管楽器本体内に設けた吹奏入力部に流入されるブレスを検出し、この検出されたブレス情報に基づいて、所定の楽音の発生を指示するブレスセンサ手段と、上記発生の指示される楽音の音高を指定する音高指定手段とからなる演奏入力部を有する電子楽器において、
　上記電子管楽器本体の外部に設けられ、上記発生を指示される楽音の特性を指示するコマンド情報及び制御データ情報の少なくとも一方を送信する送信手段と、
　上記電子管楽器本体内に設けられ、上記送信手段から送信されたコマンド情報及び制御データ情報を受信する受信手段と、
　上記電子管楽器本体内に設けられ、上記受信手段にてコマンド情報に続いて制御データ情報が受信されたときは、当該受信されたコマンド情報にて指示された楽音の特性を当該受信された制御データの値及び上記ブレスセンサ手段で検出されたブレス情報の値のうち大きい方の値に基づいて変更するとともに、コマンド情報を伴わない制御データ情報が受信されたときは、先に受信されたコマンド情報にて指示された楽音の特性を当該受信された制御データ情報の値及び上記ブレスセンサ手段で検出されたブレス情報の値のうち大きい方の値に基づいて変更する楽音特性制御手段と、を具備したことを特徴とする電子楽器。
（２）上記送信手段は、上記コマンド情報及び制御データ情報を、電磁波にて送信する電磁波送信手段を有し、上記受信手段は、上記送信手段から電磁波にて送信された上記コマンド情報及び制御データ情報を受信する電磁波受信手段を有することを特徴とする請求項１記載の電子楽器。」（なお、訂正請求書の請求項１の第４段落目の２ヶ所に「ブレスセンサ手段て検出されたブレス情報」とある記載中の「て」は、「で」の明白な誤記と認定して、当審は、上記のように発明を認定した）
（２）訂正の適否及び拡張・変更の存否
▲１▼訂正の概要
ｉ：請求項１
　設定登録時の請求項１「（１）楽器本体に設けた演奏入力部に対する演奏入力操作に従って楽音の発生を指示する電子楽器において、
　上記楽器本体の外部に設けられ、上記発生を指示される楽音の特性の制御を指示するコマンド情報及び制御データ情報の少なくとも一方を送信する送信手段と、
　上記楽器本体内に設けられ、上記送信手段から送信されたコマンド情報及び制御データ情報を受信する受信手段と、
　上記楽器本体内に設けられ、上記受信手段にてコマンド情報に続いて制御データ情報が受信されたときは、当該受信されたコマンド情報にて指示された楽音の特性を当該受信された制御データ情報の値に基づいて変更するとともに、コマンド情報を伴わない制御データ情報が受信されたときは、先に受信されたコマンド情報にて指示された楽音の特性を当該受信された制御データ情報の値に基づいて変更する楽音特性制御手段と、
　を具備したことを特徴とする電子楽器。」
を、以下のように訂正しようとするものである。
イ：第１段落「楽器本体・・・電子楽器において」を、設定登録時の請求項２の「（２）上記楽器本体は、電子管楽器本体であり、上記演奏入力部は、上記電子管楽器本体内に設けられた吹奏部内に流入されるブレスを検出し、この検出されたブレス情報に基づいて、所定の楽音の発生を指示するブレスセンサ手段と上記発生の指示される楽音の音高を指定する音高指定手段とからなることを特徴とする請求項１記載の電子楽器。」の記載を根拠に、減縮を目的として、「電子管楽器本体内に設けた吹奏入力部に流入されるブレスを検出し、この検出されたブレス情報に基づいて、所定の楽音の発生を指示するブレスセンサ手段と、上記発生の指示される楽音の音高を指定する音高指定手段とからなる演奏入力部を有する電子楽器において」とし、
ロ：第３段落目「制御データ情報の値に基づいて変更する」（２ヶ所）を、設定登録時の請求項６の「上記楽音特性制御手段は、上記ブレスセンサ手段よりの内部ブレス情報と、上記受信手段により受信された制御データ情報の少なくともいずれか一方の情報によって制御されることを特徴とする請求項２記載の電子楽器」及びこの記載に対応する明細書の詳細な説明である特許明細書第１５頁第１１〜１６「外部ブレス情報としての赤外線のブレスデータ値と、ブレスセンサ１を経てＡ／Ｄ変換器３より入力したブレス情報のデータ値との大小を比較し、大きい方のデータ値に基づいて楽音発生手段である楽音発生回路７より発生させる楽音の特性を制御している」と図面の第４図の記載を根拠として、減縮を目的として、「制御データ情報の値及び上記ブレスセンサ手段て検出されたブレス情報の値のうち大きい方の値に基づいて変更する」
に限定しようとするものである。
ｉｉ：訂正された請求項２
　設定登録時の請求項５を請求項２に繰り上げたものである。
ｉｉｉ：設定登録時の明細書第６頁第９行目乃至第１７行目の記載の発明の詳細な説明における「課題を解決する手段」の項の
　「この発明は、このような目的を達成するために、楽器本体の外部に設けられ、上記発生を指示される楽音の特性の制御を指示するコマンド情報及び制御データ情報の少なくとも一方を送信する送信手段と、
　上記楽器本体内に設けられ、上記送信手段から送信されたコマンド情報及び制御データ情報を受信する受信手段と、上記楽器本体内に設けられ、上記受信手段にてコマンド情報に続いて制御データ情報が受信されたときは、当該受信されたコマンド情報にて指示された楽音の特性を当該受信された制御データ情報の値に基づいて変更するとともに、コマンド情報を伴わない制御データ情報が受信されたときは、先に受信されたコマンド情報にて指示された楽音の特性を当該受信された制御データ情報の値に基づいて変更する楽音特性制御手段と、を具備したことを要点とする。」
を、請求項１の減縮に整合させるために「この発明は、このような目的を達成するために、電子管楽器本体内に設けた吹奏入力部に流入されるブレスを検出し、この検出されたブレス情報に基づいて、所定の楽音の発生を指示するブレスセンサ手段と、上記発生の指示される楽音の音高を指定する音高指定手段とからなる演奏入力部を有する電子楽器において、上記電子管楽器本体の外部に設けられ、上記発生の指示される楽音の特性を指示するコマンド情報及び制御データ情報の少なくとも一方を送信する送信手段と、上記電子管楽器本体内に設けられ、上記送信手段から送信されたコマンド情報及び制御データ情報を受信する受信手段と、上記電子管楽器本体内に設けられ、上記受信手段にてコマンド情報に続いて制御データ情報が受信されたときは、当該受信されたコマンド情報にて指示された楽音の特性を当該受信された制御データ情報の値及び上記ブレスセンサ手段で検出されたブレス情報の値のうち大きい方の値に基づいて変更するとともに、コマンド情報を伴わない制御データ情報が受信されたときは、先に受信されたコマンド情報にて指示された楽音の特性を当該受信された制御データ情報の値及び上記ブレスセンサ手段で検出されたブレス情報の値のうち大きい方の値に基づいて変更する楽音特性制御手段と、を具備したことを要点とする。」（なお、訂正請求書の請求項１の第４段落目の２ケ所および上記ｉｉｉ明細書第６頁第９行目乃至第１７行目の記載の発明の詳細な説明における「課題を解決する手段」の項の２ヶ所に「ブレスセンサ手段
て
▲２▼訂正の適否及び拡張・変更の存否
　この訂正のうち
「▲１▼ｉイ」：設定登録時の請求項１の電子楽器を同請求項２に記載される電子管楽器に限定するもので減縮に相当する。
「▲１▼ｉロ」：設定登録時の請求項１に記載される「制御データ情報の値に基づいて変更する」を、設定登録時の請求項６の「上記楽音特性制御手段は、上記ブレスセンサ手段よりの内部ブレス情報と、上記受信手段により受信された制御データ情報の少なくともいずれか一方の情報によって制御されることを特徴とする請求項２記載の電子楽器」及びこの記載に対応する明細書の詳細な説明である特許明細書第１５頁第１１〜１６「外部ブレス情報としての赤外線のブレスデータ値と、ブレスセンサ１を経てＡ／Ｄ変換器３より入力したブレス情報のデータ値との大小を比較し、大きい方のデータ値に基づいて楽音発生手段である楽音発生回路７より発生させる楽音の特性を制御している」と図面の第４図の記載を根拠として、減縮を目的として、「制御データ情報の値及び上記ブレスセンサ手段て検出されたブレス情報の値のうち大きい方の値に基づいて変更する」
に限定しようとするものであり、減縮に相当する。
「ｉｉ」：設定登録時の請求項５を他の請求項の削除に伴い、請求項２に繰り上げたものであり、実質的変更はない。
「ｉｉｉ」：明細書第６頁第９行目乃至第１７行目の記載の発明の詳細な説明における「課題を解決する手段」の訂正は減縮された訂正請求項１に形式的に整合させるために訂正しようとするものであり、「解決すべき課題」の減縮に相当する。
　また、これら訂正は、出願当初の明細書等に記載された範囲内のものであり、かつ、実質上特許請求の範囲を拡張し又は変更するものではない。
　したがって、これら訂正は、願書に添付された明細書の記載範囲内の訂正であり、特許法第１２０条の４第２項但し書き第１号に規定する特許請求の範囲の減縮に相当し、実質上特許請求の範囲を拡張し又は変更するものではない。
（３）独立特許要件の判断
▲１▼：当審の取消理由
ｉ：当審が通知した取消理由概要
刊行物１：キーボードスペシャル（ＫＢ　ＳＰＥＣＩＡＬ）
　　　　　別冊「Ｒｏｌａｎｄ　ＭＩＤＩ　ＢＯＯＫ」株式会社　立東社　昭和６２年８月２５日刊
　電子楽器において、外部に設けられたコマンド情報及び制御データ情報を送信するＭＩＤＩメッセージの送信手段と、楽器本体には、ＭＩＤＩメッセージを受信する受信手段と受信したＭＩＤＩメッセージに応じて楽音の特性を制御する電子楽器の点。
刊行物２：キーボードマガジン１２月号特別付録
　　　　　「実用改訂版　ＭＩＤＩハンドブック」（昭和６１年１２月１日刊　第８巻１２号・通卷１０４号株式会社リットーミュージック）
　ＭＩＤＩのステータスバイトとデータバイトは、以下の定義となっている点
　ＭＩＤＥメッセージを大きく分けるとステータス・バイトとデータバイトに区別できる。
　ステータスバイトとはメッセージの種類を表すもので、ステータスバイトとデータバイトを区別するため、第７ビットをそのフラグにみたてている。（第６頁右欄第１４〜末行記載参照）
　ステータスバイトは、メッセージの種類と必要に応じてＭＩＤＩチャンネルのナンバーを表す。（３２頁）
　ランニングステータスとは、ＭＩＤＩではひとつ前のメッセージが同じならばステータスバイトを省略してもいいことになっている。これをランニングステータスという。
刊行物３：キーボードマガジン５月号
　　　　　昭和６２年５月１日刊第９刊　第５号・通卷１０９号株式会社リットーミュージック
　刊行物１と同じ観点
刊行物４：キーボードマガジン１１月号別冊
　　　　　（昭和６２年１０月３０日株式会社リットーミュージック）
　タッチセンサーからなる音高指定手段と、本体内に設けられた吹奏部内に流入されるブレスを検出し、この検出されたブレス情報に基づいて、所定の楽音の発生を指示するブレスセンサ手段とからなる演奏入力部を備える電子管楽器
刊行物５：特開昭６２ー１６４０９４号公報
　息圧を検出する歪み検出素子からの信号をデジタル信号に変換し、このデジタル信号のレベル値が一定値を越えた際に、ノートオン信号を送出する点。
刊行物６：キーボードマガジン１１月号
　　　　　昭和６２年１１月１日刊第９刊第１１号・通卷１１５号株式会社リットーミュージック
　鍵盤を備えるショルダー・キーボードの点
刊行物７：キーボードマガジン９月号
　　　　　昭和６２年９月１日刊第９刊第９号・通卷１１３号株式会社リットーミュージック
　押さえた指板の位置に基づく音高の楽音を、弦をはじくトリガー（弾弦情報）に応じて発生指示する電子弦楽器の点
刊行物８：特開昭５８−１１４１００号公報
　音程、音色、音量などのコマンド情報及び制御データを電波で送信する点
刊行物９：６０−１９５５９１号公報
　楽音の特性の制御を指示するコマンド情報及び制御データ情報を光信号で送信する点
刊行物１０：ミュージックトレード昭和６１年１２月号
　　　　　　昭和６１年１２月１日刊第２４刊第１２号株式会社ミュージックトレード社
操作子であるフットコントローラに楽音制御機能を割り当て、割り当てられた楽音制御機能に従って、操作子の操作状態から楽音制御信号を生成する点
がそれぞれ記載されている。
　設定登録時の請求項１は刊行物１と２ととから容易に発明をすることができた。
　設定登録時の請求項２は、刊行物５に記載されている。
　設定登録時の請求項３は、刊行物６に記載されている。
　設定登録時の請求項４は、刊行物７に記載されている。
　設定登録時の請求項５は、刊行物８、９に記載されている。
　設定登録時の請求項９は、刊行物１０に記載されている。
　したがって設定登録時の請求項１・２・３・４・５・９は、刊行物１〜１０に記載された発明に基づいて当業者が容易に発明をすることができたものであるから、上記設定登録時の請求項に係る各発明の特許は特許法２９条第２項の規定に違反してなされたものである。
▲２▼対比判断
　本件発明は、上記認定の通り訂正請求がなされ、訂正請求項１と２（設定登録時の請求項５に対応）に減縮（設定登録時の他の請求項は、取消を求めない請求項を含めて削除された）されたことで、以下の対比では、訂正された請求項１・２と各刊行物の発明とを対比する。
　訂正された請求項１と刊行物１の発明とを対比すと、ともに、
　「所定の楽音の発生を指示する手段と、発生の指示される楽音の音高を指定する音高指定手段とからなる演奏入力部を有する電子」「楽器」と、
　「電子」「楽器本体の外部に設けられ、上記発生を指示する楽音の特性を指示するコマンド情報及び制御データ情報の少なくとも一方を送信する送信手段」と、
　「上記電子」「楽器本体内に設けられ、上記送信手段から送信されたコマンド情報及び制御データ情報を受信する受信手段」と、
　「上記電子」「楽器本体内に設けられ、上記受信手段にてコマンド情報に続いて制御データ情報が受信されたときは、当該受信されたコマンド情報にて指示された楽音の特性を当該受信された制御データの値」に「基づいて変更」する「楽音特性制御手段」と、
　を「具備した電子」「楽器」。
の構成では一致するものの、刊行物１には本件訂正された請求項１の発明が、
イ：刊行物１が「電子楽器」（詳細には電子弦楽器）であるのに対して、本件請求項１の発明が、「電子管楽器」である点、
ロ：楽音特性制御手段の構成が、刊行物１は外部の送信手段からの制御信号で制御するのに対して、本件請求項１の発明は、上記受信手段にてコマンド情報に続いて制御データ情報が受信されたときは、「当該受信されたコマンド情報にて指示された楽音の特性を当該受信された制御データの値及び上記ブレスセンサ手段で検出されたブレス情報の値のうち大きい方の値に基づいて変更する」とともに、「コマンド情報を伴わない制御データ情報が受信されたときは、先に受信されたコマンド情報にて指示された楽音の特性を当該受信された制御データ情報の値及び上記ブレスセンサ手段で検出されたブレス情報の値のうち大きい方の値に基づいて変更する」構成を有する点
で相違する。
　相違点イロについて検討するに、
　このイの点は、電子楽器の１種である電子管楽器においても、楽器本体と楽器本体の外部に設けらた楽音の制御をする送信手段を有するものは刊行物４に示されるように本願出願前に公知の発明であり、かつ、上記ロの相違点のうち「コマンド情報を伴わない制御データ情報が受信されたときは、先に受信されたコマンド情報にて指示された楽音の特性を当該受信された制御データ情報の値」とすることは、刊行物２でＭＩＤＩ規格として周知の技術ではあるが、
　ロの「当該受信されたコマンド情報にて指示された楽音の特性を当該受信された制御データの値及び上記ブレスセンサ手段で検出されたブレス情報の値のうち大きい方の値に基づいて変更する」および「先に受信されたコマンド情報にて指示された楽音の特性を当該受信された制御データ情報の値及び上記ブレスセンサ手段で検出されたブレス情報の値のうち大きい方の値に基づいて変更する」の点については各刊行物にその記載がなく、且つ自明のことでもないので、本件訂正請求項１に係る発明は刊行物１〜１０に記載される発明から当業者が容易に発明をすることができたものとはいえず、取消理由は解消した。
　又、訂正請求項２（設定登録時請求項５）の発明は、上記訂正請求項１の発明を引用した発明であるので、同じく、取消理由は解消した。
▲３▼：むすび
　以上の通りであるので、該訂正請求は、特許法１２０条の４第２項及び同上第３項で準用する第１２６条第２−４項の規定に適合するので、当該訂正を認める。
３：特許異議申立についての検討
（１）申し立ての概要
　特許異議申立人　廣田修一は、甲第１〜甲第１０号証を提示して、本件特許請求の範囲はこれら甲各号証の記載に基づいて下記の理由により当業者が容易になし得た発明であるから、特許法２９条第２項の規定により特許を受けることができないものである。
　したがって、本件特許発明は、同法１１３号第１項第２項により取り消すべきものである。
▲１▼：証拠
甲第１号証：キーボードスペシャル（ＫＢ　ＳＰＥＣＩＡＬ）
　　　　　別冊「Ｒｏｌａｎｄ　ＭＩＤＩ　ＢＯＯＫ」株式会社　立東社　昭和６２年８月２５日刊
　電子楽器において、外部に設けられたコマンド情報及び制御データ情報を送信するＭＩＤＩメッセージの送信手段と、楽器本体には、ＭＩＤＩメッセージを受信する受信手段と受信したＭＩＤＩメッセージに応じて楽音の特性を制御する電子楽器の点。
甲第２号証：キーボードマガジン１２月号特別付録
　　　　　　「実用改訂版　ＭＩＤＩハンドブック」（昭和６１年１２月１日刊　第８巻１２号・通卷１０４号株式会社リットーミュージック）
　ＭＩＤＩのステータスバイトとデータバイトは、以下の定義となっている点
　ＭＩＤＥメッセージを大きく分けるとステータス・バイトとデータバイトに区別できる。
　ステータスバイトとはメッセージの種類を表すもので、ステータスバイトとデータバイトを区別するため、第７ビットをそのフラグにみたてている。（第６頁右欄第１４〜末行記載参照）
　ステータスバイトは、メッセージの種類と必要に応じてＭＩＤＩチャンネルのナンバーを表す。（３２頁）
　ランニングステータスとは、ＭＩＤＩではひとつ前のメッセージが同じならばステータスバイトを省略してもいいことになっている。これをランニングステータスという。
甲第３号証：キーボードマガジン５月号
　　　　　昭和６２年５月１日刊　第９刊第５号・通卷１０９号株式会社リットーミュージック
　甲第１号証と同じ観点
甲第４号証：キーボードマガジン１１月号別冊
　　　　　（昭和６２年１０月３０日株式会社リットーミュージック）
　タッチセンサーからなる音高指定手段と、本体内に設けられた吹奏部内に流入されるブレスを検出し、この検出されたブレス情報に基づいて、所定の楽音の発生を指示するブレスセンサ手段とからなる演奏入力部を備える電子管楽器
甲第５号証：特開昭６２−１６４０９４号公報
　息圧を検出する歪み検出素子からの信号をデジタル信号に変換し、このデジタル信号のレベル値が一定値を越えた際に、ノートオン信号を送出する点。
甲第６号証：キーボードマガジン１１月号
　　　　　昭和６２年１１月１日刊第９刊第１１号・通卷１１５号株式会社リットーミュージック
　鍵盤を備えるショルダー・キーボードの点
甲第７号証：キーボードマガジン９月号
　　　　　昭和６２年９月１日刊第９刊第９号・通卷１１３号株式会社リットーミュージック
　押さえた指板の位置に基づく音高の楽音を、弦をはじくトリガー（弾弦情報）に応じて発生指示する電子弦楽器の点
甲第８号証：特開昭５８−１１４１００号公報
　音程、音色、音量などのコマンド情報及び制御データを電波で送信する点
甲第９号証：６０−１９５５９１号公報
　楽音の特性の制御を指示するコマンド情報及び制御データ情報を光信号で送信する点
甲第１０号証：ミュージックトレード昭和６１年１２月号
　　　　　　昭和６１年１２月１日刊第２４刊第１２号株式会社ミュージックトレード社
　操作子であるフットコントローラに楽音制御機能を割り当て、割り当てられた楽音制御機能に従って、操作子の操作状態から楽音制御信号を生成する点
がそれぞれ記載されている。
　設定登録時の請求項１は甲第１号証と同一である。
　設定登録時の請求項２は、甲第１号証と甲第４・５号証から容易である。
　設定登録時の請求項３は、甲第１号証と甲第６号証から容易である。
　設定登録時の請求項４は、甲第１号証と甲第７号証から容易である。
　設定登録時の請求項５は、甲第１号証と甲第８・９号証から容易である。
　設定登録時の請求項９は、甲第１号証と甲第１０号証から容易である。
　したがって設定登録時の請求項１の発明は、甲第１号証と同一であり、設定登録時の請求項・２・３・４・５・９の発明は、甲第１〜１０号証に記載された発明に基づいて当業者が容易に発明をすることができたものであるから、上記設定登録時の各請求項に係る各発明の特許は特許法２９条第２項の規定に違反してなされたものである。
ｉｉ当審の判断
　本件発明は、上記認定の通り訂正請求がなされ、訂正請求項１と２（設定登録時の請求項５に対応）に減縮（設定登録時の他の請求項は、取消を求めない請求項を含めて削除された）されたことで、登録時請求項１の発明と甲第１号証とは同一ではなくなった。
　そこで、甲第１〜１０号証記載から訂正請求項１の発明が容易に発明をすることができたかを以下に検討する。
　訂正された請求項１の発明と甲第１号証の発明とを対比すると、ともに
　「所定の楽音の発生を指示する手段と、発生の指示される楽音の音高を指定する音高指定手段とからなる演奏入力部を有する電子」「楽器」と、
　「電子」「楽器本体の外部に設けられ、上記発生を指示する楽音の特性を指示するコマンド情報及び制御データ情報の少なくとも一方を送信する送信手段」と、
　「上記電子」「楽器本体内に設けられ、上記送信手段から送信されたコマンド情報及び制御データ情報を受信する受信手段」と、
　「上記電子」「楽器本体内に設けられ、上記受信手段にてコマンド情報に続いて制御データ情報が受信されたときは、当該受信されたコマンド情報にて指示された楽音の特性を当該受信された制御データの値」に「基づいて変更」する「楽音特性制御手段」と、
　を「具備した電子」「楽器」。
の構成では一致するものの、甲第１号証には本件訂正請求項１の発明が、
イ：甲第１号証が「電子弦楽器」であるのに対して、本件訂正請求項１の発明が、「電子管楽器」である点、
ロ：楽音特性制御手段の構成が、甲第１号証は外部の送信手段からの制御信号で制御するのに対して、本件請求項１の発明は、上記受信手段にてコマンド情報に続いて制御データ情報が受信されたときは、「当該受信されたコマンド情報にて指示された楽音の特性を当該受信された制御データの値及び上記ブレスセンサ手段で検出されたブレス情報の値のうち大きい方の値に基づいて変更する」とともに、「コマンド情報を伴わない制御データ情報が受信されたときは、先に受信されたコマンド情報にて指示された楽音の特性を当該受信された制御データ情報の値及び上記ブレスセンサ手段で検出されたブレス情報の値のうち大きい方の値に基づいて変更する」構成を有する点
で相違する。
　この相違点イロについて検討するに、
　イの点は、電子楽器の１種である電子管楽器においても、楽器本体と楽器本体の外部に設けらた楽音の制御をする送信手段を有するものは甲第４号証に示されるように本願出願前に公知の発明であるといえ、かつロの相違点のうち「コマンド情報を伴わない制御データ情報が受信されたときは、先に受信されたコマンド情報にて指示された楽音の特性を当該受信された制御データ情報の値」とすることは、甲第２号証で、ＭＩＤ１規格として周知の技術ではあるが、
　ロの「当該受信されたコマンド情報にて指示された楽音の特性を当該受信された制御データの値及び上記ブレスセンサ手段で検出されたブレス情報の値のうち大きい方の値に基づいて変更する」および「先に受信されたコマンド情報にて指示された楽音の特性を当該受信された制御データ情報の値及び上記ブレスセンサ手段で検出されたブレス情報の値のうち大きい方の値に基づいて変更する」の点については甲各号証にその記載がなく、且つ自明のことでもないので、本件訂正請求項１に係る発明は甲第１〜１０号証に記載される発明から当業者が容易に発明をすることができたものとはいえず、特許異議申立に理由はない。
　又、訂正請求項２（設定登録時請求項５）の発明は、上記訂正請求項１の発明を引用した発明であるので、同じく、特許異議申立に理由はない。
４：まとめ
　したがって、本件訂正請求項１・２（設定登録時請求項５）に係る特許発明は、当審が通知した取消理由は解消したものと認められ、かつ、異議申立人が提示した甲第１〜１０号証刊行物に記載された発明と同一であるとも、それから当業者が容易に発明をすることができたものとすることもできない。
　又、他に本件訂正請求項１・２（設定登録時請求項５）に係る特許を取り消すべき理由を発見しない。
　よって、結論のとおり決定する。
【異議決定日】
平成１１年１１月２６日（１９９９．１１．２６）
【訂正の要旨】
訂正の要旨
ｉ：請求項１
　設定登録時の請求項１「（１）楽器本体に設けた演奏入力部に対する演奏入力操作に従って楽音の発生を指示する電子楽器において、
　上記楽器本体の外部に設けられ、上記発生を指示される楽音の特性の制御を指示するコマンド情報及び制御データ情報の少なくとも一方を送信する送信手段と、
　上記楽器本体内に設けられ、上記送信手段から送信されたコマンド情報及び制御データ情報を受信する受信手段と、
　上記楽器本体内に設けられ、上記受信手段にてコマンド情報に続いて制御データ情報が受信されたときは、当該受信されたコマンド情報にて指示された楽音の特性を当該受信された制御データ情報の値に基づいて変更するとともに、コマンド情報を伴わない制御データ情報が受信されたときは、先に受信されたコマンド情報にて指示された楽音の特性を当該受信された制御データ情報の値に基づいて変更する楽音特性制御手段と、
　を具備したことを特徴とする電子楽器。」
の記載を、減縮を目的として、以下のように訂正する。
イ：第１段落「楽器本体・・・電子楽器において」を、減縮を目的として、「電子管楽器本体内に設けた吹奏入力部に流入されるブレスを検出し、この検出されたブレス情報に基づいて、所定の楽音の発生を指示するブレスセンサ手段と、上記発生の指示される楽音の音高を指定する音高指定手段とからなる演奏入力部を有する電子楽器において」とし、
ロ：第３段落目の「制御データ情報の値に基づいて変更する」（２ヶ所）を、減縮を目的として、「制御データ情報の値及び上記ブレスセンサ手段て検出されたブレス情報の値のうち大きい方の値に基づいて変更する」
に訂正する。
ｉｉ：請求項２
　設定登録時の請求項５を請求項２に繰り上げた。
ｉｉｉ：設定登録時の明細書第６頁第９行目乃至第１７行目の記載の発明の詳細な説明における「課題を解決する手段」の項の
　「この発明は、このような目的を達成するために、楽器本体の外部に設けられ、上記発生を指示される楽音の特性の制御を指示するコマンド情報及び制御データ情報の少なくとも一方を送信する送信手段と、
　上記楽器本体内に設けられ、上記送信手段から送信されたコマンド情報及び制御データ情報を受信する受信手段と、上記楽器本体内に設けられ、上記受信手段にてコマンド情報に続いて制御データ情報が受信されたときは、当該受信されたコマンド情報にて指示された楽音の特性を当該受信された制御データ情報の値に基づいて変更するとともに、コマンド情報を伴わない制御データ情報が受信されたときは、先に受信されたコマンド情報にて指示された楽音の特性を当該受信された制御データ情報の値に基づいて変更する楽音特性制御手段と、を具備したことを要点とする。」を、請求項１の減縮に整合させるために、減縮を目的として「この発明は、このような目的を達成するために、電子管楽器本体内に設けた吹奏入力部に流入されるブレスを検出し、この検出されたブレス情報に基づいて、所定の楽音の発生を指示するブレスセンサ手段と、上記発生の指示される楽音の音高を指定する音高指定手段とからなる演奏入力部を有する電子楽器において、上記電子管楽器本体の外部に設けられ、上記発生の指示される楽音の特性を指示するコマンド情報及び制御データ情報の少なくとも一方を送信する送信手段と、上記電子管楽器本体内に設けられ、上記送信手段から送信されたコマンド情報及び制御データ情報を受信する受信手段と、上記電子管楽器本体内に設けられ、上記受信手段にてコマンド情報に続いて制御データ情報が受信されたときは、当該受信されたコマンド情報にて指示された楽音の特性を当該受信された制御データ情報の値及び上記ブレスセンサ手段で検出されたブレス情報の値のうち大きい方の値に基づいて変更するとともに、コマンド情報を伴わない制御データ情報が受信されたときは、先に受信されたコマンド情報にて指示された楽音の特性を当該受信された制御データ情報の値及び上記ブレスセンサ手段で検出されたブレス情報の値のうち大きい方の値に基づいて変更する楽音特性制御手段と、を具備したことを要点とする。」
と訂正する。
（５４）【発明の名称】
電子楽器
（５７）【特許請求の範囲】
（１）
電子管
吹奏入力部に流入されるブレスを検出し、この検出されたブレス情報に基づいて、所定の楽音の発生を指示するブレスセンサ手段と、上記発生の指示される楽音の音高を指定する音高指定手段とからなる演奏入力部を有する
　上記
電子管
　上記
電子管
　上記
電子管
及び上記ブレスセンサ手段て検出されたブレス情報の値のうち大きい方の値
及び上記ブレスセンサ手段て検出されたブレス情報の値のうち大きい方の値
　を具備したことを特徴とする電子楽器。
（２）
上記送信手段は、上記コマンド情報及び制御データ情報を、電磁波にて送信する電磁波送信手段を有し、上記受信手段は、上記送信手段から電磁波にて送信された上記コマンド情報及び制御データ情報を受信する電磁波受信手段を有する
【発明の詳細な説明】
［発明の技術分野］
　この発明は、演奏者の演奏操作により楽音を放音する電子楽器であって、その楽器本体から離れたところより楽音の特性を制御し得る電子楽器に関する。
［従来技術とその問題点］
　従来の電子楽器においては、放音させる楽音の音色を切換えるときは、複数の音色の中から所望の音色を選択するために、演奏者は音色切換スイッチを手で操作したり、音色番号を手でセットしたりする操作が必要であるが電子鍵盤楽器または電子弦楽器の場合、両手を用いて鍵操作または弦操作を行うことにより、所定の楽音を発生させており、また、電子管楽器の場合は、両手の運指操作のほかに、吹き口部に対するブレス操作またはリップ操作を行うことにより、所定の楽音を発生させるようにしている。そのため、演奏中における音色の切換操作は困難である。特に楽器本体の実装面積の狭い場合は、スイッチ等の形状も小さいため、演奏途中ですばやく、音色を切換えることは困難であった。また、音色に限らずビブラート効果のＯＮ／ＯＦＦやポルタメント効果のＯＮ／ＯＦＦ等の各種効果を演奏中に切換えることも同様に難しいという問題があった。
［発明の目的］
　この発明の目的は、上記のような問題点を解消するためになされたもので、演奏者が演奏途中でも、容易かつ、迅速に、音高や音色その他楽音に対する各種効果等の楽音の特性を切換選択することが可能な電子楽器を得ることを目的とする。
［発明の要点］
　この発明は、このような目的を達成するために、
電子管楽器本体内に設けた吹奏入力部に流入されるブレスを検出し、この検出されたブレス情報に基づいて、所定の楽音の発生を指示するブレスセンサ手段と、上記発生の指示される楽音の音高を指定する音高指定手段とからなる演奏入力部を有する電子楽器において、上記電子管
電子管
電子管
及び上記ブレスセンサ手段て検出されたブレス情報の値のうち大きい方の値
及び上記ブレスセンサ手段て検出されたブレス情報の値のうち大きい方の値
［実施例］
　以下、図面に基づいてこの発明の実施例に係る電子楽器について述べる。
〈第１実施例〉
構　成
　第１Ａ図はこの発明の第１実施例に係る電子管楽器の全体回路構成図である。第１Ａ図において、管楽器本体Ｋの吹奏入力部Ｍには、演奏者の吹く力を検出するブレスセンサ手段としてのブレスセンサ１が設けられており、このブレスセンサ１としては、例えば、本件出願人に係る特開昭５７−４２０９号公報に記載されたものが使用できる。
　このブレスセンサ１の検出出力は、演奏時に吹き込まれる息の強さを、対応する電圧に変換する電圧変換回路２によって電圧に変換され、更にＡ／Ｄ変換器３によりデジタル信号に変換された後、マイクロプロセッサの中央処理装置であるＣＰＵ４にブレス情報として入力される。
　ＣＰＵ４は、この電子管楽器の全体的な回路動作を制御するものであり、このＣＰＵ４には、複数のスイッチからなり、発音される楽音の音高設定のためのスイッチ群である音高設定スイッチ５及び、楽音の音色や楽音に対するピッチベンドなどの各種効果を選択切換するスイッチ群である音色・効果切換スイッチ６よりの出力が入力されるようになっている。また、ＣＰＵ４は音階設定スイッチ５、音色・効果切換スイッチ６及びＡ／Ｄ変換器３から得た各種楽音制御データを楽音発生手段である楽音発生回路７に出力して所望の楽音信号を発生させ、楽音出力装置８によりオーディオ出力として放音させる。なお、以上の構成要素は全てこの電子管楽器の管楽器本体に設けられている。また、このＣＰＵ４は、楽音特性制御情報に基づいて楽音発生手段より発音される楽音の特性を制御する楽音制御手段を構成する。
　また、この実施例の特徴として、楽音発生回路７より発音される楽音の特性を制御するための楽音特性制御情報を送信する、送信手段としての赤外線放射装置９が、この管楽器本体Ｋの外部に設けられており、この赤外線放射装置９には、第１Ｂ図に示すように、赤外線放射回路９−１、及び管楽器本体Ｋ側に設けられた上記音色・効果切換スイッチ６の各スイッチと同一の操作目的を有する音色効果切換スイッチＳＷ１、ＳＷ２、ＳＷ３、ＳＷ４が設けられており、これらのスイッチＳＷ１〜ＳＷ４は、手のみではなく足によって切換操作が可能である。更に、この赤外線放射装置９は、管楽器本体Ｋに設けられた上記ブレスセンサ１にて検出されたＣＰＵ４に入力されるブレス情報とは別個の外部ブレス情報としての赤外線をその放射量を可変させながら放射させるために、足で操作可能なフットコントローラーＦＣを有している。
　更にまた、この第１実施例の特徴として、管楽器本体Ｋには赤外線放射装置９から放射された赤外線を検出する、受信手段としての赤外線検出回路１０が設けられており、こり赤外線検出回路１０よりの検出出力はＣＰＵ４に入力され、ＣＰＵ４より楽音制御データとして楽音発生回路７に送出される。
　ここで、赤外線放射装置９は、その放射される赤外線が良好な状態で、赤外線検出回路１０によって検出される範囲内で、電子管楽器本体Ｋと間隔を離して設け得るものである。
動　作
　次に上記発明の第１実施例の動作について、特に楽音制御手段としてのＣＰＵ４の動作について第３図、第４図をも参照しながら述べる。
　第３図はＣＰＵ４を動作させるための赤外線検出回路からの音楽特性制御情報としての楽音制御データをレジスタに取込むための赤外線検出回路よりのデータ書込み処理フローチャート図であり、まず、ステップ３−１において赤外線検出回路１０から検出されたデータを取り込み、ＣＰＵ４内のレジスタＡに書込む。次にステップ３−２でそのレジスタＡで書込んだデータ値が７Ｆより大きいか否か、つまりそのデータ値がコマンド（命令）かデータ（数値）かを判断し、ＹＥＳのときはコマンド（音色切換、ブレス、ベンド、リップ等の各種命令）であるとのことでステップ３−３において、レジスタＡのデータ値がＲＣＯＭＡＤ、つまり赤外線によるコマンドと等しいか否かを判断する。もしＹＥＳなら前回と同一のコマンドなのでそのままメインフローにリターンする。もしＮＯと判断されたら、前回とは異なる新しい赤外線によるコマンドが入力されたのであるから、ステップ３−４でコマンドフラグを１にセットし、ステップ３−５で、次回の比較判断のために先に書込んだＡのレジスタのデータ値を赤外線赤外線のコマンド、ＲＣＯＭＡＤのレジスタに移しておいてメインフローヘリターンする。
　ステップ３−２においてＡ＞７ＦがＮＯのときは、Ａレジスタに書込まれた内容がコマンドではなくて、数値データの場合であるから、ステップ３−６において、コマンドフラグに１がたっているか否かを判断し、ＹＥＳのときはコマンド種類を判断してデータ処理を行なうべき場合であり、ステップ３−７で、赤外線のコマンドが音色コマンドであるか否かを判断する。そして、ＹＥＳのときは音色を変化させるための音色切換情報に対応する赤外線が赤外線検出回路１０で受信された場合であるので、次のステップ３−８において、先にレジスタＡに書込まれた音色変更のためのデータと赤外線のコマンドＲＣＯＭＡＤの情報、つまりこの場合は音色コマンドを音色制御データとして音色切換のために楽音発生回路７に出力し、ステップ３−９で音色コマンドに従った動作が終ったことを明らかにするため、コマンドフラグを０にリセットしてメインフローにリターンする。
　ステップ３−７において、ＮＯのときは赤外線のコマンドは音色コマンドではない場合なので、ステップ３−１０で赤外線のコマンドがブレスコマンドか否かを判断し、ＹＥＳならば、ステップ３−１１で赤外線の外部ブレス情報をストアするＲＢＲＥＴＨバッファにレジスタＡのデータをストアし、同様にステップ３−９においてコマンドフラグを０にリセットしてメインフローにリターンする。ステップ３−１０でＮＯのときは、ステップ３−１２においてその他のコマンド、例えばベンドコマンド、リップコマンド等の判断と各バッファのレジスタＡのデータストアの処理を行い、ステップ３−９においてコマンドフラグを０にリセットしてメインフローにリターンする。
　ステップ３−６においてＮＯ、つまりコマンドフラグが１でないときは、コマンドの変更はない場合であり、ステップ３−１３において、先に書込んだレジスタＡのデータが、赤外線のデータと同一か否かを判断し、ＹＥＳのときは、同一コマンドで同一データであるので、そまままメインフローにリターンし、もし、ＮＯのときは、ステップ３−１４においてＡレジスタのデータを赤外線のデータレジスタにストアし、ステップ３−１５で同一のコマンド内でのデータを変更する処理を行い、メインフローにリターンする。
　第４図は、メインフローに対してタイマインタラプトさせるフローであり、ブレスセンサ１よりのブレス情報の処理、つまり、演奏者による吹奏がなされたときのブレス情報処理のフローチャート図である。まず、ステップ４−１において、Ａ／Ｄ変換器３からのデジタルデータを取込みＣＰＵ４内のＡレジスタヘストアする。次にステップ４−２で、Ａレジスタのデータ値、すなわちブレスセンサ１よりの検出データ値が赤外線放射装置９のフットコントローラＦＣの操作によって発信された楽音特性制御情報としての赤外線のデータ値以上であるかを判断し、ＹＥＳのときは、ステップ４−３でＡレジスタのデータ値と、演奏者の吹奏によりブレスセンサ１が検出したデータ値と等しいか否かを判断する。そしてＹＥＳのときは、先にストアされたものと同一のブレス情報であるから、楽音の音量や音質を変化させる必要はなく、そのままメインフローにリターンするが、ＮＯのときは、今回のＡレジスタのデータをブレスセンサよりのブレス情報のデータレジスタに入れて、ステップ４−５に進み、ステップ４−４でレジストした演奏者の吹奏により検出されたデータをブレス情報、つまの楽音制御データとして楽音の音量や音質を変化させるために楽音発生回路７へ送出し、メインフローにリターンする。
　ステップ４−２でＮＯのとき、つまりＡレジスタのデータ値が、赤外線放射装置９におけるフットコントローラＦＣによって送信されたデータ値以上ではない場合は、ステップ４−６において赤外線検出回路１０より入力された外部ブレス情報としての赤外線のブレスデータが、演奏者の実際の吹奏よりブレスセンサ１から得られたブレス情報のデータ値と等しいか否かを判断し、ＹＥＳのときは、そのままメインフローにリターンし、ＮＯのときはステップ４−７において赤外線検出回路１０により入力された赤外線のデータを、演奏者の吹奏により得られたブレス情報のデータをストアするレジスタＩＮＢＲＥＡＴＨに入れる。次にステップ４−５において、そのレジスタＩＮＢＲＥＡＴＨに移したデータ、つまり外部ブレス情報としての赤外線のブレスデータを今回のブレス情報つまり、楽音制御データとして、楽音の音量や音質を変化させて発音するために楽音発生７へ送出してメインフローヘリターンすることによりこのフローを終了する。
　このように、上記第１実施例では、楽音制御手段としてのＣＰＵ４は、受信手段である赤外線検出回路１０により受信して入力した赤外線放射装置９よりの外部ブレス情報としての赤外線のブレスデータと、ブレスセンサ１を経てＡ／Ｄ変換器３より入力したブレス情報のデータ値との大小を比較し、大きいデータ値に基づいて楽音発生手段である楽音発生回路７より発生させる楽音の特性を制御している。
　上述したこの発明の第１実施例に係る電子菅楽器によれば、菅楽器本体Ｋとは別個に、赤外線が良好に検出し得る範囲内に設けた赤外線放射装置９に設けた音色・効果切換スイッチＳＷ１〜ＳＷ４およびフットコントローラＦＣを足による押圧操作することにより、その押圧操作に応答して、ブレス情報（音量・音質制御情報）、音色情報、ベンド情報、リップ情報（音高情報）等各種の楽音特性制御情報を手ではなく足によって選択切換して放射させるようにしたので、演奏中のため両手が塞がれている場合でも音量、音色その他楽音に対する各種の効果等の楽音の特性を、足による押圧操作により、容易に変化させることができるという効果がある。
　また、特にブレス情報を外部ブレス情報として赤外線放射装置９からフットコントローラによって放射させ、菅楽器本体Ｋで受信したその赤外線のブレスデータと、ブレスセンサからの吹奏によるブレス情報のブレスデータとの大小を楽音制御手段において比較して、大きい方のデータ値に基づいて楽音の発生を制御するようにしたので、演奏者の実際の吹奏によらずに同様に楽音の音量や音質の制御が可能となり、したがって、長いフレーズを演奏する場合は、演奏者の実際の吹奏に拘わらず、楽音の演奏を行うことができ、演奏能力が大幅に向上することになる。
　さらに、この第１実施例によれば、菅楽器本体Ｋ側に設けた赤外線検出回路１０に対し、赤外線放射装置９から出力された楽音特性制御情報を、伝播にて送信するように構成しているため、菅楽器本体と赤外線放射装置との間に接続ケーブルを配線する必要がなくなるばかりでなく、この接続ケーブルを配線した場合の問題点、すなわち、演奏中に、接続ケーブル同志がからまったり、あるいは、演奏中に演奏者が歩き回れる範囲が上記接続ケーブルの長さに規制されたりなどの問題点を未然に防止することができる。
　なお、上記第１実施例では、送信手段からは赤外線を放射させているが他の一般的な電磁波でもよく、また、ワイヤレス方式による送受信に限らず接続ケーブルを用いた送受信も可能であり、この場合は光ファイバーを用いた光信号による送受信も可能である。
〈第２実施例〉
　第５図はこの発明の第２実施例に係るショルダーキーボード型の電子鍵盤楽器の全体外観図であり、第６図は、第５図の電子鍵盤楽器の要部回路構成図である。
　両図において、電子鍵盤楽器本体１１はショルダーキーボード型であって、一般にストラップ等により、演奏者の肩に掛けて用いられるものである。電子鍵盤楽器本体１１には、演奏入力部としての複数の鍵からなる鍵盤１２が設けられ、楽音発生手段である音源回路１４から発生されるべき楽音の音高を指定するものである。また、この電子楽器本体１１には、第１実施例と同様な機能を有する電磁波受信回路１３が設けられており、それは、本体１１の外部に設けられて第１Ｂ図に示す第１実施例の赤外線放射装置と同様に押圧操作される電磁波送信回路１５から送信される楽音特性制御情報を受信して、音源回路１４から発生されるべき楽音の音色や効果等の楽音特性を切換制御させるものである。電磁波受信回路１３によって受信された電磁波データは、マイクロプロセッサの中央処理装置であるＣＰＵ１６にて検知され、ＣＰＵ１６はその電磁波データに基づいて、楽音特性制御情報を音源回路１４に送出して、発生されるべき楽音の特性を制御する楽音特性制御手段として機能する。
　以下、第５図〜第７図を参照して、この第２実施例の動作について述べる。第７図は楽音特性制御手段としてのＣＰＵ１６の動作における電磁波データ受信フローチャート図であり、このフローは、メインルーチン（図示しない）に対して所定の時間間隔で動作するかもしくは、メインルーチンに対してタイマインタラプトによって動作するのである。
　まず、ステップ７ー１において、電磁波受信回路１３にて受信した電磁波データを受け取り、次のステップ７−２において、その電磁波データがどのような内容のデータであるか、つまり、音色の切換データなのか、その他の楽音の特性のを変化させる各種効果制御データなのかを検知する。例えば、その電磁波データが特定の音色に切換える音色切換データの場合は、ステップ７−３においてその特定の音色の楽音を発生させるよう音源回路１４に対して楽音特性制御情報を送出した後メインルーチンにリターンする。つまり、このフローでは、ＭＩＤＩ（Ｍｕｓｉｃａｌ　Ｉｎｓｔｒｕｍｅｎｔｓ　Ｉｎｔｅｒｆａｃｅ）信号を外部から受けて、プログラムチェンジを行う場合と同様の動作を行うものと言える。
　このように第２実施例によれば、ショルダーキーボード型の電子鍵盤楽器本体１１の外部に設けた音色・効果切換スイッチＳＷ１等を演奏者が押圧操作することにより、その押圧操作に応答して、音色情報、ベンド情報等各種の楽音特性制御情報を選択切換して電磁波データとして送信し、本体１１に設けた電磁波受信回路１３にて受信し、さらにＣＰＵ１６にて音源回路１４を制御するようにしたので、演奏中のため両手が塞がれている場合でも、音色その他楽音に対する各種の特性を、演奏者の足による押圧操作によっても容易に変化させることができるものである。
　また、上記第２実施例では、送信手段からは電磁波を送信しているため、電子鍵盤楽器本体１１と送信手段である電磁波送信回路１５との間に接続ケーブルを配線する必要がなくなるばかりでなく、演奏中に他の接続ケーブルとケーブル同志がからまったり、あるいは、演奏中に演奏者が動き回れる範囲が接続ケーブルの長さによって制御されるなどの問題点も解消できる。
　なお、上記実施例とは異なり、電磁波データの送受信によらず接続ケーブルを用いて楽音特性制御情報を送信するように構成することも可能である。
〈第３実施例〉
　第８図はこの発明の第３実施例に係るギターシンセサイザー等の電子弦楽器の全体外観図である。図において、電子弦楽器本体Ｇは一般にストラップ等により、演奏者の肩に掛けて用いられるものであり、その本体Ｇには複数の弦１７が張設されており、本体Ｇを構成する胴部Ｇ１には、その弦の弾弦操作に応答して、対応する弾弦情報を出力する弾弦情報出力部１８が、また、ネックＧ２のフィンガ一ボード上には、楽音発生手段である音源回路１９から発生されるべき楽音の音高を指定する音高指定手段としてのフレット２０がそれぞれ配設されている。そしてこれら複数の弦１７、弾弦情報出力部１８等は演奏入力部を構成するものである。
　また、この電子弦楽器本体Ｇには、第２実施例における電磁波受信回路１３と同様の機能を有する電磁波受信回路２１が設けられており、これは電子弦楽器本体Ｇの外部に設けられた第２実施例の電磁波送受信回路１５と同様な電磁波送信手段（図示しない）から送信される電磁波データを受信して、第６図、第７図に示す第２実施例と同様な構成と動作に基づき、楽音特性制御手段としてのＣＰＵが、楽音特性制御情報である電磁波データの内容を検知して楽音発生手段としての音源回路１９から発生されるべき楽音の特性を制御するものである。
　このように第３実施例によれば、ギターシンセサイザーのような電子弦楽器本体Ｇの外部に設けた電磁波送信回路１５に設けた音色・効果切換スイッチＳＷ１やフットコントローラＦＣを演奏者が押圧操作することにより、その押圧操作に応答して各種の楽音特性制御情報を選択切換して電磁波データとして送信し、それを本体Ｇに設けた電磁波受信回路２１にて受信し、さらにその受信した電磁波データに基づき楽音特性制御手段によって音源回路１９を制御するようにしたので、演奏中のため、両手が塞がれている場合でも、音色切換、オクターブ切換、クロマチック切換等、楽音に対する各種特性切換の演奏者の足による押圧操作によっても容易に行うことができる。
　また、第３実施例では、楽音特性制御情報は電磁波送信回路から電磁波データとしてワイヤレスで送信されるため、電子弦楽器本体Ｇとの間を接続する接続ケーブルが不要となるだけでなく、演奏中に接続ケーブル同志がからまったり、あるいは、演奏者が動き回れる範囲が接続ケーブルの長さによって制約されるという問題点も解決される。
　なお、この第３実施例とは、異なり、接続ケーブルを用いて楽音特性制御情報を楽音本体の外部からその楽器本体を送信するように構成してもよい。
〈第４実施例〉
　第３実施例では電磁波の受信回路２１をギター型電子弦楽器本体Ｃの胴部Ｇ１に設けたが、第４実施例では第８図に示すように、ギター型電子弦楽器本体ＣのヘッドＨの裏面に受信回路２１を取り付けている。受信回路２１をヘッドに設けることの利点は、電磁波送信回路１５からの電磁波（例えば赤外線）を確実に受信することができることである。ヘッドＨは演奏中は、演奏者の体の外側に位置するので、電磁波送信回路１５からの電磁波をダイレクトに受信し得る。受信回路２１は受信した電磁波をデジタル信号に変換し、ネックＮ内を通るケーブルを介して胴体Ｂ内にあるＣＰＵ（図示せず）に伝達するようになっている。
〈第５実施例〉
　第５実施例では、第１０図で示すように、送信回路１５Ｎを演奏者の足による操作が行われる操作部ＭＰと操作部ＭＰからの信号を電磁波に変換して送信する送信部ＸＭＩＴとに分けて構成し、両者の間を可擁性のコードＣＤで接続する。これにより、送信部ＸＭＩＴが操作部ＭＰに対して移動可能となる。この送信部ＸＭＩＴからの電磁波を楽器本体の受信回路２１で受信する。第１０図では第４実施例と同様に、ギター型電子弦楽器本体ＣのヘッドＨに設けた受信回路２１で受信するようにしている。
　この構成の利点は、送信回路１５Ｎを演奏者が操作する操作部ＭＰと楽器本体に電磁波を送信する送信部ＸＭＩＴとに分離することにより、電磁波の送信を確実にしたことである。例えば、ギター型電子弦楽器の場合、左利きの演奏者はヘッドＨを右にして演奏するので、ヘッドＨに設けた受信回路２１の位置に合わせて、送信部ＸＭＩＴを操作部ＭＰの右側に移動させることにより、ワイヤレス通信が確実になる。
　なお、受信回路２１の取付位置はヘッドＨに限られず、また、ギター型電子弦楽器以外の電子楽器を用いてもよい。
　また、操作部ＭＰと送信部ＸＭＩＴとの間を接続コードＣＤで接続する代りに、送信部ＸＭＩＴを電磁波の中継装置として構成し、操作部ＭＰより送られる電磁波を中継して楽器本体に送信するようにしてもよい。
〈第６実施例〉
　以上の実施例では、足で操作されるフットコントローラ、スイッチ等の操作子の機能は予め定められていることを想定した。これに対し、第１１図〜第１３図に示す第６実施例では、各操作子の機能をユーザーが割り当てることができるようにしている。送信回路１５Ｍは、操作子として送信本体１５−３上にオン／オフタイプのスイッチ１５−１（ＳＷ１〜ＳＷ４）とボリウムタイプのフットコントローラ１５−２を備える。電磁波（赤外線）の送信は送信部１５−４から行われる。１５−５は機能割当のためのボタンスイッチであり、データの値を加減するアップキー、ダウンキー、操作スイッチ１５−１に音色選択か移調の選択の機能を割り当てるためのセレクトキー、書込か送信かを切り換えるためのモードキーがある。移調は値１２を１オクターブとして半音単位で設定可能である。フットコントローラ１５−２の出力電圧はＡ／Ｄ変換器１５−８でデジタル値に変換され、他の入力とともにＣＰＵ１５−７によって読み取られるようになっている。ＣＰＵ１５−７はＲＯＭ、ＲＡＭを内蔵しており、以下説明する操作子の機能割当と割り当てた機能に従う通信データの作成を行い、あわせてＬＥＤ１５−６に状態を表示する。
　すなわち、ＣＰＵ１５−７は第１３図に示す処理を定期的に実行する。ステップ１３−１で入力装置１５−１、１５−２、１５−５の状態を読み取る。ステップ１３−２で送信／書込モードスイッチが押されているかどうかを調べ、押されていれば、内部のモードフラグを書き直す。そしてモードフラグが書込モードを示しているときはステップ１３−３以下の機能割当処理を行い、モードフラグが送信モードを示しているときはステップ１３−９以下の送信処理を行う。
　機能割当処理の最初のステップ１３−３でどの入力装置からの入力があったかを判別する。ボタンスイッチ１５−５内のダウンキーが押されたときには、下限になっていない限り、データＤの値をマイナス１してその結果をＬＥＤ１５−６に点滅表示する（ステップ１３−４）。アップキーが押されたときは上限に達していない限り、データＤの値をプラス１してその結果をＬＥＤ１５−６に点滅表示する。音色／移調セレクトスイッチが押されたときはコマンドフラグを書き直す（ステップ１３−６）。上記データＤの値とコマンドフラグの内容は操作スイッチ１５−１のいずれかが押されたときに、その操作スイッチに対応するレジスタに書き込まれ、そのときのデータの値がＬＥＤ１５−６に固定表示される（ステップ１３−７）。この結果、例えば、操作スイッチ１５−１のＳＷ１〜ＳＷ３を音色用として、それぞれのスイッチに対する音色番号（データＤの値で与えられる）を設定し、ＳＷ４は移調用として移調の大きさを設定することができる。一方、フツトコントローラ１５−２についてはこの実施例ではアップ／ダウンキーによるデータＤの値が所定のコマンド（例えばブレス）に対する感度データの意味をもつようにしている。したがって、フットコントローラ１５−２が押圧されたときにはそれに対応するレジスタのデータ格納領域にデータＤをセットする（ステップ１３−８）。
　送信モードではステップ１３−９で操作スイッチ１５−１、フットコントローラ１５−２からの入力の有無を調べる。そして、いずれかのスイッチ１５−１のオン操作を検出したときには、そのスイッチに対応するレジスタの内容（コマンドとデータ）を読み出し、送信部１５−４を介して送信を行い、あわせてＬＥＤ１５−６にデータの値を表示する（ステップ１３−１０）。また、Ａ／Ｄ変換器１５−８から読んだフットコントローラ１５−２の操作状態が変化したときにはこの操作状態のデータに、フットコントローラ１５−２に対応するレジスタのデータを加え、その結果をコマンドとともに楽器本体に送信し、あわせてＬＥＤ１５−６に結果を表示する。
　以上のように、第６実施例では、送信回路１５Ｍをインテリジェント化して、各操作子に対する機能を割当可能とし、割り当てられた機能に従って送信を行っている。したがって、フレキシブルな演奏コントロールが可能となる。
〈変形例〉
　なお、この発明は、前記各実施例のほか、電子バイオリン、電子ドラム、電子木菅楽器などの各種の電子楽器に適用可能である。
［発明の効果］
　以上述べたように、この発明によれば、楽器本体の外部に設けられ、上記発生を指示される楽音の特性の制御を指示するコマンド情報及び制御データ情報の少なくとも一方を送信する送信手段と、上記楽器本体内に設けられ、上記送信手段から送信されたコマンド情報及び制御データを受信する受信手段と、を有し、受信されたコマンド情報及び制御データ情報に基づいて楽音を制御するようにしたので、演奏者は、演奏途中であって、たとえ両手が塞がれていても、足などを用いて送信手段を操作することにより、容易に楽音の音量や音色その他楽音に対する各種効果を選択切換操作することができ、円滑かつ容易に変化に富んだ演奏が可能な電子楽器が得られるという効果があるばかりでなく、上記受信手段にてコマンド情報に続いて制御データ情報が受信されたときは、当該受信されたコマンド情報にて指示された楽音の特性を当該受信された制御データ情報の値に基づいて変更するとともに、コマンド情報を伴わない制御データ情報が受信されたときは、先に受信されたコマンド情報にて指示された楽音の特性を当該受信された制御データ情報の値に基づいて変更する楽音特性制御手段を有することにより、同一種類の制御を連続的に行う場合は、送信されるデータを簡略化することができる、という効果を奏する。
【図面の簡単な説明】
　第１Ａ図はこの発明の第１実施例に係る電子管楽器の全体回路構成図、第１Ｂ図は同じく赤外線放射装置構成図、第２図は同じく本体外観図、第３図は同じく赤外線検出回路よりのデータ書込み処理フローチャート図、第４図は同じくブレスセンサによりのブレス情報処理フローチャート図、第５図はこの発明の第２実施例に係るショルダーキーボード型電子鍵盤楽器の本体外観図、第６図は同じく要部回路構成図、第７図は同じく電磁波データ受信フローチャート図、第８図はこの発明の第３実施例に係る電子弦楽器の本体外観図、第９図はこの発明の第４実施例に係る電子楽器の外観図、第１０図はこの発明の第５実施例に係る電子楽器の外観図、第１１図はこの発明の第６実施例で使用する送信回路の外観図、第１２図は第１１図の送信回路の構成図、第１３図は第１１図の送信回路の動作を示すフローチャートである。
　１……ブレスセンサ、２……電圧変換回路、３……Ａ／Ｄ変換器、４……ＣＰＵ、５……音階発生スイッチ、６……音色・効果切換スイッチ、７……楽音発生回路、９……赤外線放射装置、１０……赤外線検出回路、１１……ショルダーキーボード型電子楽器本体、１３……電磁波受信回路、１５……電磁波送信回路、１７……電子弦楽器本体、Ｋ……電子管楽器本体、２１……受信回路、１５Ｎ……送信回路、ＭＰ……操作部、ＸＭＩＴ……送信部、１５Ｍ……送信回路、１５−７……ＣＰＵ。